【手続補正書】
【提出日】平成18年3月31日(2006.3.31)
【手続補正１】
【補正対象書類名】明細書
【補正対象項目名】特許請求の範囲
【補正方法】変更
【補正の内容】
【特許請求の範囲】
【請求項１】
移動体電話ハンドセットにおいて、
移動体電気通信ネットワークとの間で無線信号を無線で送受信する無線電気通信インタフェースと、
ハンドセット上の２つの異なる位置から音声を出力するように配置された第１および第２のオーディオスピーカとを具備し、
前記第１のオーディオスピーカは第１の部分に取り付けられ、
前記第２のオーディオスピーカは第２の異なる部分に取り付けられ、
前記第１および第２の部分は、前記ハンドセットがコンパクトになり、前記第１および第２のオーディオスピーカが比較的狭い間隔にある第１の相対位置から、前記第１および第２のオーディオスピーカが比較的広い間隔にある第２の相対位置に移動可能である移動体電話ハンドセット。
【請求項２】
前記第１および第２の部分は、前記第１の相対位置から前記第２の相対位置に、共通軸の回りに互いに相対的に回転可能であるように、前記第１および第２の部分はヒンジ機構により旋回式に連結されている請求項１記載の移動体電話ハンドセット。
【請求項３】
前記第１および第２のオーディオスピーカは、それぞれ前記第１および第２の部分の端部近くに配置され、前記第１および第２の部分の端部は旋回式の連結点からそれぞれ離れている請求項２記載の移動体電話ハンドセット。
【請求項４】
前記第１の部分はグラフィックディスプレイを含む請求項１記載の移動体電話ハンドセット。
【請求項５】
前記第２の部分は画像取得装置を含む請求項４記載の移動体電話ハンドセット。
【請求項６】
前記ハンドセットの本体部分に取り付けられたグラフィックディスプレイと画像取得装置とをさらに具備し、
前記第１および第２の部分は前記グラフィックディスプレイの両側において前記本体部分に取り付けられている請求項１記載の移動体電話ハンドセット。
【請求項７】
前記ハンドセットはステレオ音声出力を発生させることができ、
前記第２の相対位置において、前記第１および第２のオーディオスピーカは、前記ハンドセットの前方のユーザに前記ステレオ音声出力を送るように配置可能である請求項１記載の移動体電話ハンドセット。
【請求項８】
前記ハンドセットは、前記第２の相対位置にある間、水平面上において前記第１および第２の部分を支持するように適合されている請求項７記載の移動体電話ハンドセット。
【請求項９】
前記インタフェースは前記無線信号からデータを導出するように適合され、
前記データは、前記第１および第２のオーディオスピーカを通して出力される音声に適切なフォーマットに変換機能により変換されている請求項１記載の移動体電話ハンドセット。
【請求項１０】
前記ハンドセットはグラフィックディスプレイを含み、
前記グラフィックディスプレイは、前記ハンドセットが前記第１の相対位置にあるときに覆われ、前記ハンドセットが前記第２の相対位置にあるときに露出される請求項１記載の移動体電話ハンドセット。
【請求項１１】
前記ハンドセットはグラフィックディスプレイを含み、
前記グラフィックディスプレイは、前記ハンドセットの前方のユーザにビデオデータを表示するように適合されている請求項１記載の移動体電話ハンドセット。
【請求項１２】
前記インタフェースは前記無線信号からビデオデータを導出するように適合され、
前記データは、前記グラフィックディスプレイを通して出力されるビデオに適切なフォーマットに変換機能により変換されている請求項１１の移動体電話ハンドセット。
【請求項１３】
前記ハンドセットは、前記音声出力とともに前記ビデオ出力を行うことができる請求項１２記載の移動体電話ハンドセット。
【請求項１４】
移動体ビデオフォンにおいて、
ディスプレイと、
第１の取付部分に取り付けられた第１の音声受信機と、
第２の取付部分に取り付けられた第２の音声受信機とを具備し、
前記第１および第２の取付部分は、前記移動体ビデオフォンがコンパクトになり、前記第１および第２の音声受信機が比較的狭い間隔にある第１の相対位置から、前記ディスプレイが露出し、前記第１および第２の音声受信機が比較的広い間隔にある第２の相対位置に移動可能である移動体ビデオフォン。
【請求項１５】
前記第１の取付部分に取り付けられた第１の音声送信機と、
前記第２の取付部分に取り付けられた第２の音声送信機とをさらに具備する請求項１４記載の移動体ビデオフォン。
【請求項１６】
移動体ビデオフォンにおいて、
前記ビデオフォンの本体部分中のディスプレイと、
前記ビデオフォンの前記本体部分に取り付けられた画像取得装置と、
前記ディスプレイの両側において前記本体部分に取り付けられた２つの遮蔽部分とを具備し、
前記２つの遮蔽部分は、前記ディスプレイが見える第１の位置と、画像を表示するときに異なる度合いで前記ディスプレイが見える第２の位置と、前記ディスプレイが前記２つの遮蔽部分によりほぼ覆われる第３の位置とを含む、複数の位置に相対的に移動することができる移動体ビデオフォン。
【請求項１７】
前記２つの遮蔽部分は、それぞれ音声送信機を備えている請求項１６記載の移動体ビデオフォン。
【請求項１８】
前記画像取得装置は、前記第３の位置において前記２つの遮蔽部分によりほぼ全体的に覆われる請求項１６または１７記載の移動体ビデオフォン。
【請求項１９】
前記２つの遮蔽部分は、前記本体部分の両側において旋回式に取り付けられている請求項１６〜１８のいずれか１項記載の移動体ビデオフォン。
【請求項２０】
前記複数の位置は、複数の所定の設定位置を含んでいる請求項１６〜１９のいずれか１項記載の移動体ビデオフォン。
【請求項２１】
前記２つの遮蔽部分は、同時に同程度に移動するように連結されている請求項１６〜２０のいずれか１項記載の移動体ビデオフォン。
【請求項２２】
移動体ビデオフォンにおいて、
移動体通信システムとの間で無線信号を送受信するための無線インタフェースと、
前記移動体通信システムを通して受信された画像を表示するディスプレイを備えた前面を有する第１の部分と、
前記移動体通信システムを通して送信する画像を取得するカメラを備えた第２の部分とを具備し、
前記第１および第２の部分は、前記カメラを複数の位置に向けることができるように旋回式に相互連結されており、
前記複数の位置は、
（ｉ）前記前面に向く方向に前記カメラが向けられ、前記ビデオフォンがコンパクト状態である第１の位置と、
（ｉｉ）前記ディスプレイとほぼ同じ方向に前記カメラが向けられ、前記カメラがユーザの画像を取得できる第２の位置と、
（ｉｉｉ）前記第１の位置から１８０°を超えて離れた向きに前記カメラが向けられ、前記ユーザにより見られている対象の画像を前記カメラが取得でき、前記ユーザも前記ディスプレイを見ることができる第３の位置とを含む移動体ビデオフォン。
【請求項２３】
前記第３の位置において、前記第１の位置からほぼ２７０°離れた向きに前記カメラが向けられる請求項２２記載の移動体ビデオフォン。
【請求項２４】
携帯用ビデオフォンにおいて、
ビデオ画像を表示する第１のディスプレイパネルを備えた第１の部分と、
ビデオ画像を表示する第２のディスプレイパネルを備えた第２の部分と、
ユーザの画像を取得するカメラと、
遠隔の相手の画像を受信する無線電気通信インタフェースとを具備し、
前記第１および第２の部分は、前記ディスプレイパネルが向き合った関係に配置される、コンパクトな第１の相対位置から、前記両ディスプレイパネル上の画像をユーザが同時に見ることができる完全動作可能な第２の相対位置に移動可能であり、
前記携帯用ビデオフォンは、前記無線電気通信インタフェースを通して受信された画像を前記第１のディスプレイパネル上に表示し、前記カメラを通して取得された画像を前記第２のディスプレイパネル上に表示するように構成されている携帯用ビデオフォン。
【請求項２５】
前記第１および第２のディスプレイパネルはほぼ同一である請求項２４記載の携帯用ビデオフォン。
【請求項２６】
前記カメラは前記第１の部分上にある請求項２４または２５記載の携帯用ビデオフォン。
【請求項２７】
前記第１のディスプレイパネルに近接して配置された音声送信機と、前記第２のディスプレイパネルに近接して配置された音声受信機とをさらに具備し、
前記携帯用ビデオフォンは従来のハンドセット移動体電話機として使用される請求項２４〜２６のいずれか１項記載の携帯用ビデオフォン。
【請求項２８】
ユーザの前方の水平面上に前記携帯用ビデオフォンを置けるように適合され、そのように置いたときに前記ディスプレイパネルがほぼ垂直方向を向いて前記ユーザに対面するように構成されている支持手段をさらに具備する請求項２４〜２７のいずれか１項記載の携帯用ビデオフォン。
【請求項２９】
移動体通信システム中で音声データおよびビデオデータを送受信する携帯用ビデオフォンにおいて、
ビデオカメラと、
ビデオグラフィックディスプレイと、
前記移動体通信システム中で適切なフォーマットで前記音声データおよび前記ビデオデータを送受信する送受信手段と、
２つのマイクロホンと、
２つのスピーカとを具備し、
前記マイクロホンと前記スピーカは、前記携帯用ビデオフォンの別個の部分に取り付けられ、
前記別個の部分は、可動式に取り付けられていて、前記ディスプレイを遮蔽するように配置可能であり、これによりビデオ電話を比較的プライバシーを保った状態で行うことができる携帯用ビデオフォン。
【請求項３０】
移動体通信システム中で音声データおよび映像データを送受信できる携帯用ハンドヘルドビデオフォンにおいて、
旋回式に連結された２つの部分と、
音声データを収集するマイクロホンと、
音声情報を出力するスピーカと、
前記部分の一方に取り付けられたビデオカメラと、
前記部分の他方に取り付けられたビデオディスプレイとを具備し、
前記２つの部分は、前記２つの部分が向き合った関係で相互に近接して配置される第１の位置に配置可能であり、前記第１の位置から１８０°を超える角度だけ相対的に旋回可能であるように連結されている携帯用ハンドヘルドビデオフォン。
【請求項３１】
前記２つの部分は、前記第１の位置から約２７０°だけ相対的に旋回できるように連結されている請求項３０記載の携帯用ハンドヘルドビデオフォン。
【請求項３２】
前記カメラと同じ部分に取り付けられた追加ディスプレイをさらに具備する請求項３０または３１記載の携帯用ハンドヘルドビデオフォン。
【請求項３３】
移動体通信システム中で音声データおよび映像データを送受信することができる携帯用ビデオフォンにおいて、
中央部分に取り付けられたビデオディスプレイおよびビデオカメラと、
２つの開閉自在なふたと、
マイクロホンと、
スピーカとを具備し、
前記マイクロホンおよび前記スピーカは、それぞれ、前記ビデオフォンの付近から音声信号を受け取り、前記移動体通信システムから受信した音声信号を出力するためのものであり、
前記ビデオカメラおよび前記ディスプレイは、それぞれ、前記ビデオフォンの付近からビデオ画像を受け取り、前記移動体通信システムからの信号から導出されるビデオ画像を出力するためのものであり、
前記音声信号および画像は、変換手段によって、前記移動体通信システムを通しての送信に適切なフォーマットに変換され、およびこのフォーマットから変換され、
前記ふたは、前記ふたが前記ディスプレイを覆う閉位置から、前記ふたが公衆の視線から前記ディスプレイを遮蔽する手段として働く開位置に移動することができる携帯用ビデオフォン。